(57)【要約】【課題】本発明の洗濯機は、折れ蓋を折らずに蓋体を開けたときにみえる裏面の外観面のデザイン性向上と掃除時の利便性向上を図る。【解決手段】洗濯機本体上部に配設した上面カバーと、前記上面カバーに形成された衣類投入口と、前記上面カバーに枢支され、前記衣類投入口を開閉自在に閉塞する蓋体と、を備え、前記蓋体は、前記上面カバーに枢支される後蓋体ユニットと、前記後蓋ユニットに分割支点部で枢支される前蓋体ユニットとを有し、前記分割支点部において、前記後蓋ユニットと前記前蓋体ユニットの一方に軸を形成し、前記後蓋ユニットと前記前蓋体ユニットの他方に前記軸を軸支する軸支部を形成し、前記後蓋ユニットと前記前蓋体ユニットの他方の裏面は、前記軸支部を形成することにより円弧形状に形成され、前記後蓋ユニットと前記前蓋体ユニットの一方の裏面は、前記後蓋ユニットと前記前蓋体ユニットの他方の裏面と略同形状の円弧状に形成される。【選択図】図６
2019181092.tif 000002
【特許請求の範囲】
【請求項１】
洗濯機本体上部に配設した上面カバーと、前記上面カバーに形成された衣類投入口と、前記上面カバーに枢支され、前記衣類投入口を開閉自在に閉塞する蓋体と、を備え、前記蓋体は、前記上面カバーに枢支される後蓋体ユニットと、前記後蓋体ユニットに分割支点部で枢支される前蓋体ユニットとを有し、
前記分割支点部において、前記後蓋体ユニットと前記前蓋体ユニットの一方に軸を形成し、前記後蓋体ユニットと前記前蓋体ユニットの他方に前記軸を軸支する軸支部を形成し、前記後蓋ユニットと前記前蓋体ユニットの他方の裏面は、前記軸支部により円弧形状に形成され、前記後蓋体ユニットと前記前蓋体ユニットの一方の裏面は、前記後蓋体ユニットと前記前蓋体ユニットの他方の裏面と略同形状の円弧状に形成されている洗濯機。
【請求項２】
前記前蓋体ユニットは、天面を形成する前側天面部材と、裏面を形成する前蓋体と、把手部を形成する前側裏面部材とを有し、前記後蓋体ユニットは、天面を形成する後側天面部材と、裏面を形成する後蓋体とを有し、前記前蓋体ユニットと前記後蓋体ユニットの分割支点部は、分割支点部ガイド板を載せて係合させ、ネジで前記前蓋体と締結固着する請求項１に記載の洗濯機。
【発明の詳細な説明】
【技術分野】
【０００１】
本発明は、洗濯機本体の上面に、折れ蓋構造の蓋装置を備える洗濯機に関するものである。
【背景技術】
【０００２】
従来、透明部を有する前蓋体、および後蓋体に軸受部や嵌合部を形成することにより、折り畳み可能に構成した蓋装置を備えた洗濯機が提案されている（例えば、特許文献１参照）。
【０００３】
図８は、従来の洗濯機の外観斜視図、図９は、同洗濯機の蓋体の外観斜視図、図１０は、同洗濯機の蓋体の断面図である。
【０００４】
以下、特許文献１に記載の従来の洗濯機について、図８から図１０を用いて、説明する。
【０００５】
図８から図１０に示すように、従来の洗濯機は、洗濯機本体３１は、上部に、上面カバー３２が配設される。上面カバー３２は、略中央部に、蓋体３３が開閉自在に配設される。蓋体３３は、前蓋体３４と後蓋体３５から構成される。前蓋体３４と後蓋体３５は、蓋体３３の略中央部で、折り畳み可能に構成される。このとき、前蓋体３４の中央部と後蓋体３５の中央部は、透明構造を備える。これにより、洗濯機本体３１内部を視認可能にしている。
【０００６】
前蓋体３４は、把手部３７を有する前蓋４０と、前蓋当て板４１とから構成される。前蓋４０は、透明材質で略半円形状に形成される。前蓋当て板４１は、不透明部材で略馬蹄形状に形成され、前蓋４０の裏面に装着される。後蓋体３５は、後蓋４２と、後蓋当て板４４とから構成される。後蓋４２は、透明材質で略台形形状に形成される。後蓋当て板４４は、外形形状が後蓋４２に近似する形状で形成され、中央に開口４３を有し、後蓋４２の裏面から装着される。
【０００７】
また、前蓋４０は、後ろ壁５０を有し、後ろ壁５０には、貫通孔を有する軸受部４６を備える軸受リブ４７が後ろ壁５０後方に複数個一体で形成される。
【０００８】
後蓋当て板４４には、支持軸４５を有する支持軸リブ４９が一体形成されている。後蓋４２は、後蓋当て板４４が、前蓋４０の軸受部４６に対応する位置に裏面下側から装着される。
【０００９】
そして、後蓋４２の支持軸４５を、前蓋４０の軸受部４６に装着することにより軸支構造５３が構成され、前蓋４０と後蓋４２が回動自在となる。
【００１０】
前蓋４０の軸受部４６と軸受リブ４７は、前蓋４０の後ろ壁５０から後方に突出した位置に形成される。これにより、前蓋４０の軸受部４６と軸受リブ４７、および後蓋当て板４４の支持軸４５と支持軸リブ４９は、開口４３縁に形成される遮蔽リブ５２の略下方に配置される。
【００１１】
上記構成により、蓋体３３を閉じた状態において、使用者が斜め前方上方から、透明材質の前蓋４０を通して洗濯槽内を覗いても、軸受部４６および支持軸４５、支持軸リブ４９などの視認がしにくくなる。これにより、蓋体３３を閉じた状態でのデザイン性の向上
を図っている。
【００１２】
さらに、上記構成の洗濯機は、前蓋体３４の透明材質の前蓋４０の表面に、段部４０ａを形成している。これにより、前蓋４０の裏側に装着された不透明部材の前蓋当て板４１の嵌合部を隠している。
【００１３】
同様に、後蓋体３５の透明材質の後蓋４２の表面に、裏側に装着された後蓋当て板４４の嵌合部を隠す為の段部４２ａを形成している。これにより、後蓋４２の裏側に装着された後蓋当て板４４の嵌合部を隠している。
【先行技術文献】
【特許文献】
【００１４】
【特許文献１】特開２０１１−２００２７４号公報
【発明の概要】
【発明が解決しようとする課題】
【００１５】
しかしながら、上記の洗濯機の蓋体は、軸受リブ４７等の強度を向上させるためのリブや、部品固定のための孔やフック、軸受部４６および支持軸４５のような複雑な形状を裏面に設けているため、折れ蓋を折らずに蓋を開けたときに上記複雑な形状がみえ、裏面のデザイン性が悪いという課題を有している。また、裏面に汚れが付いた場合にも、汚れが拭き取りにくく、掃除時の利便性が悪いという課題を有している。
【００１６】
本発明は、上記従来の課題を解決するもので、折れ蓋を折らずに蓋体を開けたときにみえる裏面のデザイン性向上と掃除時の利便性向上を図ることができる蓋体の構造を提供することを目的としている。
【課題を解決するための手段】
【００１７】
本発明は、上記目的を達成するために、洗濯機本体上部に配設した上面カバーと、前記上面カバーに形成された衣類投入口と、前記上面カバーに枢支され、前記衣類投入口を開閉自在に閉塞する蓋体と、を備え、前記蓋体は、前記上面カバーに枢支される後蓋体ユニットと、前記後蓋ユニットに分割支点部で枢支される前蓋体ユニットとを有し、前記分割支点部において、前記後蓋ユニットと前記前蓋体ユニットの一方に軸を形成し、前記後蓋ユニットと前記前蓋体ユニットの他方に前記軸を軸支する軸支部を形成し、前記後蓋ユニットと前記前蓋体ユニットの他方の裏面は、前記軸支部により円弧形状に形成され、前記後蓋ユニットと前記前蓋体ユニットの一方の裏面は、前記後蓋ユニットと前記前蓋体ユニットの他方の裏面と略同形状の円弧状に形成されているものである。
【００１８】
これにより、前蓋体ユニットと後蓋体ユニットの分割支点部における裏面形状を簡素化でき、折れ蓋を折らずに蓋体を開けたときにみえる裏面側の外観面のデザイン性向上と掃除時の利便性向上を図ることができる。
【発明の効果】
【００１９】
本発明の洗濯機は、前蓋体ユニットと後蓋体ユニットの分割支点部における裏面形状を簡素化でき、折れ蓋を折らずに蓋体を開けたときにみえる裏面側の外観面のデザイン性向上と掃除時の利便性向上を図ることができる。
【図面の簡単な説明】
【００２０】
【図１】本発明の実施の形態における洗濯機の蓋体閉じ状態の外観図
【図２】同洗濯機の蓋体開き状態の外観図
【図３】同洗濯機の蓋体の構造を示す分解斜視図
【図４】同洗濯機の蓋体ユニットの構造を示す分解斜視図
【図５】同洗濯機の蓋体の構造を示す横断面図
【図６】同洗濯機の蓋体の構造を示す横断面図
【図７】同洗濯機の折れ蓋を折らずに開き状態の外観図
【図８】従来の洗濯機の外観斜視図
【図９】従来の洗濯機の蓋体の外観斜視図
【図１０】従来の洗濯機の蓋体の断面図
【発明を実施するための形態】
【００２１】
第１の発明は、洗濯機本体上部に配設した上面カバーと、前記上面カバーに形成された衣類投入口と、前記上面カバーに枢支され、前記衣類投入口を開閉自在に閉塞する蓋体と、を備え、前記蓋体は、前記上面カバーに枢支される後蓋体ユニットと、前記後蓋ユニットに分割支点部で枢支される前蓋体ユニットとを有し、前記分割支点部において、前記後蓋ユニットと前記前蓋体ユニットの一方に軸を形成し、前記後蓋ユニットと前記前蓋体ユニットの他方に前記軸を軸支する軸支部を形成し、前記後蓋ユニットと前記前蓋体ユニットの他方の裏面は、前記軸支部により円弧形状に形成され、前記後蓋ユニットと前記前蓋体ユニットの一方の裏面は、前記後蓋ユニットと前記前蓋体ユニットの他方の裏面と略同形状の円弧状に形成されているものである。
【００２２】
これにより、前蓋体ユニットと後蓋体ユニットの分割支点部における裏面形状を簡素化でき、折れ蓋を折らずに蓋体を開けたときにみえる裏面側の外観面のデザイン性向上と掃除時の利便性向上を図ることができる。
【００２３】
第２の発明は、特に第１の発明の前蓋体ユニットは、天面を形成する天面部材と、裏面を形成する前蓋体と、把手部を形成する前側裏面部材とを有し、後蓋体ユニットは、天面を形成する後側天面部材と、裏面を形成する後蓋体とを有し、前蓋体ユニットと後蓋体ユニットの分割支点部は、分割支点部ガイド板を載せて係合させ、ネジで前蓋体と締結固着するものである。
【００２４】
これにより、後蓋ユニットと前蓋体ユニットの他方の裏面と略同形状の円弧状に形成することができる。
【００２５】
（実施の形態）
図１は、本発明の実施の形態における洗濯機の蓋体閉塞状態の外観斜視図、図２は、同洗濯機の蓋体開放状態の外観斜視図、図３は、同洗濯機の蓋体の分解斜視図、図４は、同洗濯機の蓋体ユニットの分解斜視図、図５は、同洗濯機の蓋体の断面図、図６は、同洗濯機の蓋体の断面図、図７は、同洗濯機の蓋体の折れ蓋を折らずに開放した状態の外観斜視図である。
【００２６】
図１の外観斜視図で示すように、本実施の形態の洗濯機は、洗濯機本体１の上部に上面カバー２を載置している。上面カバー２後方位置には、洗濯機を操作するための操作パネル３を配置し、操作パネル３の両側に、ヒンジ構造を備え、ヒンジ構造により蓋体５を開閉自在に軸支している。
【００２７】
洗濯機本体１は、洗濯槽などを内包するが、従来の洗濯機と同様であるので、説明を省略する。
【００２８】
図２の外観斜視図に示すように、上面カバー２には、衣類を投入する投入口２ｆを配置し、投入口２ｆは、蓋体５により開閉自在に閉塞される。操作パネル３を投入口の後方に配置することにより、衣類の投入口を拡大させることが可能となる。
【００２９】
蓋体５は、乾燥機などを洗濯機本体１の上方位置に装着した場合、蓋体の高さが問題となる虞があるため、蓋体５を二分割して蓋体５の分割部の分割支点部６を設け、後蓋体ユニットと前蓋体ユニットとから構成している。
【００３０】
後蓋体ユニットは、後蓋体７と、後蓋体７に載設した後側天面部材８と、後蓋体７と後側天面部材８の左右に装着される蓋上左枠板９と蓋上右枠板１０とから構成される。
【００３１】
前蓋体ユニットは、前蓋体１１と、前蓋体１１に載設した前側裏面部材１３と、前側裏面部材１３に載設した前側天面部材１２とから構成される。
【００３２】
後蓋体ユニットと前蓋体ユニットは、分割支点部６により回動可能に支持され、蓋体５の前方に形成した把手部１４を把持して持ち上げることにより、蓋体５が分割支点部６で折れ曲がりながら開くように構成している。
【００３３】
図３の分解斜視図に示すように、操作パネル３は、上面カバー２に、前方側は嵌合爪、後方側はネジ２１による締結固着によって取り付けられる。上面カバー２には、両側位置に、蓋回転軸受け２ａと、蓋軸２ｂと、蓋バネ取付溝２ｃと、蓋バネ収納部２ｄを形成している。蓋体５には、後蓋体７と蓋上左枠板９、および後蓋体７と蓋上右枠体で係合された蓋回転軸１７を備えている。蓋回転軸１７には、後蓋体７で形成された蓋回転軸凹部７ａと、蓋バネ取付穴７ｂと、ストッパー受け凸部（図示せず）が形成されている。
【００３４】
ヒンジ部１５両側の蓋回転軸１７は、下側を蓋回転軸受け２ａ、上側を蓋回転軸ガイド板１９によって支持され、また蓋回転軸凹部７ａを、蓋軸２ｂにより支持されている。蓋回転軸ガイド板１９は、両端をネジ２０により上面カバー２に締結固着して取り付けている。
【００３５】
蓋回転軸１７には、蓋バネ取付穴７ｂが形成されている。蓋バネ収納部２ｄには、蓋蝶番バネ１８が収納されており、蓋蝶番バネ１８は、蓋バネ取付穴７ｂと蓋バネ取付溝２ｃに係合し、蓋体５に開く方向の付勢力を付与している。
【００３６】
図４の蓋体ユニットの分解斜視図で示すように、後蓋体７の左右対称のヒンジ部１５には、強度確保のための蓋ヒンジ補強板２２を備えており、蓋ヒンジ補強板２２は、ネジ２３により後蓋体７に締結固着して取り付けている。
【００３７】
蓋上左枠板９と蓋上右枠板１０は、後側天面部材８と後蓋体７に嵌合ツメ（図示せず）により係合して固定している。蓋上左枠板９と蓋上右枠板１０の蓋回転軸１７は、後蓋体７の蓋回転軸１７と係合し、ネジ２４により締結固着して取り付けている。
【００３８】
後蓋体７と前蓋体１１は、分割支点部６において後蓋体７の上に前蓋体１１に形成した軸（図示せず）を配置した状態で、軸の上に分割支点部ガイド板２５を載置し、ネジ２６により後蓋体７に分割支点部ガイド板２５を締結固着して取り付けている。図示しない軸により、後蓋体７と前蓋体１１とが折れ蓋状態に構成される。
【００３９】
後蓋体７の裏面は、分割支点部６において、図示しない軸を支持するため、円弧状に形成されている。前蓋体１１の裏面は、分割支点部６において、後蓋体７の裏面と同様に円弧状に形成されている。分割支点部６において、後蓋体７の裏面形状と、前蓋体１１の裏面形状は、同形状に形成しているので、蓋体５の裏面形状が複雑化せず、裏面の外観性を向上することができる。
【００４０】
図５は、洗濯機の蓋体のヒンジ構造部分における要部拡大断面図であり、図５に示すように、分割支点部ガイド板２５と、前蓋体１１と、後蓋体７との間で生じる段差を少なくする形状にしている。
【００４１】
図６は、折れ蓋を折らずに蓋体５を開放した状態の外斜視観図であり、図６に示すように、蓋体５を、折れ蓋を折らずに開放した状態では、分割支点部６の構造が複雑化せず、裏面からの外観性を向上することができる。
【産業上の利用可能性】
【００４２】
以上のように、本発明にかかる洗濯機は、折れ蓋を折らずに蓋体を開けたときにみえる裏面の外観面のデザイン性向上と掃除時の利便性向上を図ることが可能となるので、利用者に利便性を提供することができ、家庭用のみならず、業務用の各種洗濯乾燥機等にも広く提供できる。
【符号の説明】
【００４３】
１      洗濯機本体
２      上面カバー
２ａ    蓋回転軸受け
２ｂ    蓋軸
２ｃ    蓋バネ取付溝
２ｄ    蓋バネ収納部
２ｆ    投入口
３      操作パネル
５      蓋体
６      分割支点部
７      後蓋体
７ａ    蓋回転軸凹部
７ｂ    蓋バネ取付穴
８      後側天面部材
９      蓋上左枠板
１０    蓋上右枠板
１１    前蓋体
１２    前側天面部材
１３    前側裏面部材
１４    把手部
１５    ヒンジ部
１７    蓋回転軸
１８    蓋蝶番バネ
１９    蓋回転軸ガイド板
２０    ネジ
２１    ネジ
２２    蓋ヒンジ補強板
２３    ネジ
２４    ネジ
２５    分割支点部ガイド板
２６    ネジ
【図１】
2019181092.tif 000003
【図２】
2019181092.tif 000004
【図３】
2019181092.tif 000005
【図４】
2019181092.tif 000006
【図５】
2019181092.tif 000007
【図６】
2019181092.tif 000008
【図７】
2019181092.tif 000009
【図８】
2019181092.tif 000010
【図９】
2019181092.tif 000011
【図１０】
2019181092.tif 000012